(57)【要約】【課題】ケーブルドラムから二方向へケーブルを同時に引き出せるようにすると共に、ケーブルを複数スパンに分けて敷設して接続しなくても、ケーブルを長区間に敷設できるようにする。【解決手段】ドラム本体１１の内部に取付けられたベルトにケーブル全長の中間部が保持され、かつ、当該ドラム本体１１に二重巻きされた通信ケーブル１０を備え、通信ケーブル１０の引出し用の先端部を２つ有するものである。例えば、ドラム本体１１は、通信ケーブル１０が巻き付けられる円筒形状の芯を備え、この芯の所定位置には窓部が設けられ、この芯の内部にはベルトが取付けられ、窓部から挿入された通信ケーブル１０の中間部をベルトによって芯の内部に保持する。【選択図】    図１
2007308280.tif 000002
【特許請求の範囲】
【請求項１】
ケーブルが巻き付けられたケーブルドラムにおいて、
ドラム本体と、
前記ドラム本体の所定位置に取付けられた保持部材と、
前記保持部材にケーブル全長の中間部が保持され、かつ、前記ドラム本体に二重巻きされたケーブルとを備え、
前記ケーブルの引出し用の先端部を２つ有することを特徴とするケーブルドラム。
【請求項２】
前記ドラム本体は、
前記ケーブルが巻き付けられる円筒形状の芯を備え、
前記芯の所定位置には窓部が設けられ、
前記芯の内部には前記保持部材が取付けられ、
前記窓部から挿入された前記ケーブルの中間部を前記保持部材によって前記芯の内部に保持することを特徴とする請求項１に記載のケーブルドラム。
【請求項３】
前記芯の外部の所定位置に第１の案内部材を備え、
前記第１の案内部材は、
前記芯の内部に保持された前記ケーブルの引出しを前記窓部から所定方向へ案内することを特徴とする請求項２に記載のケーブルドラム。
【請求項４】
前記芯の内部の所定位置に第２の案内部材を備え、
前記第２の案内部材は、
所定の折曲半径に基づいて前記ケーブルの中間部を折り曲げるように案内し、
前記保持部材は、
所定の折曲半径に折り曲げられた前記ケーブルの中間部を保持することを特徴とする請求項２に記載のケーブルドラム。
【請求項５】
前記ドラム本体は、
前記ケーブルが巻き付けられる円筒形状の芯を備え、
前記芯の所定位置に設けられた窓部と、
前記窓部の内側端面を一部くりぬいた中空部とを有し、
前記窓部から挿入された前記ケーブルの中間部を前記中空部で固定することを特徴とする請求項１に記載のケーブルドラム。
【請求項６】
ドラムにケーブルを巻き付ける方法であって、
前記ドラムの所定位置に備えられた保持部材に前記ケーブルの全長の中間部を保持する工程と、
前記ケーブルの中間部が保持された当該ケーブルを前記ドラムに二重巻きする工程とを有することを特徴とするケーブル巻付け方法。
【請求項７】
敷設ケーブルの亘長の中央部にドラムジャッキおよびケーブルドラム、支持柱を設置し、前記中央部から二方向へ前記ケーブルドラムのケーブルを引き出し、二方向へ引き出された前記ケーブルを、前記支持柱に取り付けられたガイドロープに設置された複数の金車を使って、同時に二方向へ敷設することを特徴とするケーブル敷設方法。
【発明の詳細な説明】
【技術分野】
【０００１】
この発明は、通信用ケーブルが巻き付けられた通信ケーブルドラムに適用可能なケーブルドラムに関するものである。
【０００２】
詳しくは、ドラム本体の所定位置に取付けられた保持部材にケーブル全長の中間部が保持され、かつ、当該ドラム本体に二重巻きされたケーブルを備え、ケーブルの引出し用の先端部を２つ有し、当該ケーブルドラムから二方向へケーブルを同時に引き出せるようにし、当該ケーブルドラムから二方向へケーブルを同時に引き出せるようにする。
【背景技術】
【０００３】
従来、通信ケーブルを敷設する電柱の近くに、通信ケーブルが巻き付けられたケーブルドラムを設置して一方向から通信ケーブルを敷設する。例えば、図９に示す通信ケーブルドラム２００は、通信ケーブル１０が巻き付けられ、電柱２の近傍に設置されている。この電柱２には、吊線３及びガイドロープ６が取付けられている。吊線３及びガイドロープ６には、複数の金車４が間隔を保って取付けられている。
【０００４】
先ず、このドラム２００に巻き付けられた通信ケーブル１０の一端がガイドロープ６の複数の金車４に通され、次に、電柱２の金車４に通され、続いて、吊線３の複数の金車４に通されている。これにより、通信ケーブル１０を電柱２に敷設できるようになる。
【０００５】
このような従来例に関連して、特許文献１には、ケーブルを「８」の字状に巻き取るケーブル巻取装置が開示されている。このケーブル巻取装置によれば、ケーブル案内装置が回転ドラムの周面軸方向に沿ってケーブルを１往復させながら、回転ドラム周面のケーブルが往復動作する両端位置に配設された一対の爪部材の外側にケーブルを係合させる。これにより、ケーブルは、正確な「８」の字状を形成しながら回転ドラム周面に巻き取られるようになる。
【０００６】
また、特許文献２には、リールを用いて運搬が容易な形状でケーブルを巻取るケーブル巻取り装置が開示されている。このケーブル巻取り装置によれば、一つの巻取りリールを左右の二つに区分けし、水平軸を中心にして回転させてケーブルを左右の巻取りリールに交互に巻き取る。これにより、ケーブルを確実に分離しながら一つの輪状にするので作業者がケーブルを容易に運搬ができるようになると共に、作業現場で一つの輪状を８の字形状に分離できるようになるので、ケーブルに曲げの癖やキンクをつき難くできるようになる。
【０００７】
【特許文献１】特開平０７−１３７９３２号公報（第２頁、第１図）
【特許文献２】特開２０００−１５９４４４号公報（第３頁、第５図）
【発明の開示】
【発明が解決しようとする課題】
【０００８】
ところで、従来例に係る通信ケーブルドラム２００、特許文献１及び２によれば、通信ケーブルの一端が当該ドラム２００に固定された状態で、このドラム２００が回転されて通信ケーブルが巻き付けられている。このため、このドラム２００から二方向へ通信ケーブルを同時に引き出すことが難しい。従って、一方向への通信ケーブルの敷設距離が長くなる可能性があり、このケーブルからの引張り力が大きくなる恐れがある。このため、通信ケーブルを長区間に敷設できないという問題が発生する可能性がある。
【０００９】
そこで、本発明はこのような従来例に係る課題を解決したものであって、当該ケーブルドラムから二方向へケーブルを同時に引き出せるようにすると共に、ケーブルを複数スパンに分けて敷設して接続しなくても、ケーブルを長区間に敷設できるようにしたケーブルドラム、ケーブル巻付け方法、及びケーブル敷設方法を提供することを目的とする。
【課題を解決するための手段】
【００１０】
上述した課題を解決するために、請求項１に記載のケーブルドラムは、ケーブルが巻き付けられたケーブルドラムにおいて、ドラム本体と、前記ドラム本体の所定位置に取付けられた保持部材と、前記保持部材にケーブル全長の中間部が保持され、かつ、前記ドラム本体に二重巻きされたケーブルとを備え、前記ケーブルの引出し用の先端部を２つ有することを特徴とするものである。
【００１１】
本発明に係るケーブルドラムによれば、ドラム本体の所定位置に取付けられた保持部材にケーブル全長の中間部が保持され、かつ、このドラム本体に二重巻きされたケーブルを備え、このケーブルの引出し用の先端部を２つ有する。これにより、当該ケーブルドラムから二方向へケーブルを同時に引き出せるようになる。
【００１２】
上述した課題を解決するために、請求項６に記載のケーブル巻付け方法は、ドラムにケーブルを巻き付ける方法であって、前記ドラムの所定位置に備えられた保持部材に前記ケーブルの全長の中間部を保持する工程と、前記ケーブルの中間部が保持された当該ケーブルを前記ドラムに二重巻きする工程とを有することを特徴とするものである。
【００１３】
本発明に係るケーブル巻付け方法によれば、ドラムにケーブルを巻き付ける場合であって、ケーブルドラムから二方向へケーブルを同時に引き出せるようになる。これにより、二方向へ引き出された各ケーブルによる敷設距離が従来の半分になってケーブルからの引張り力が小さくなるので、ケーブルを複数スパンに分けて敷設して接続しなくても、ケーブルを長区間に敷設できるようになる。
【００１４】
上述した課題を解決するために、請求項７に記載のケーブル敷設方法は、敷設ケーブルの亘長の中央部にドラムジャッキおよびケーブルドラム、支持柱を設置し、前記中央部から二方向へ前記ケーブルドラムのケーブルを引き出し、二方向へ引き出された前記ケーブルを、前記支持柱に取り付けられたガイドロープに設置された複数の金車を使って、同時に二方向へ敷設することを特徴とするものである。
【００１５】
本発明に係るケーブル敷設方法によれば、ケーブルドラムから二方向へケーブルを同時に引き出すので、二方向へ引き出された各ケーブルによる敷設距離が従来の半分になってケーブルからの引張り力が小さくなるので、ケーブルを複数スパンに分けて敷設して接続しなくても、ケーブルを長区間に敷設できるようになる。
【発明の効果】
【００１６】
本発明に係るケーブルドラム、ケーブル巻付け方法、及びケーブル敷設方法によれば、ドラム本体の所定位置に取付けられた保持部材にケーブル全長の中間部が保持され、かつ、当該ドラム本体に二重巻きされたケーブルを備え、ケーブルの引出し用の先端部を２つ有するものである。
【００１７】
この構成によって、当該ケーブルドラムから二方向へケーブルを同時に引き出せるようになる。従って、二方向へ引き出された各ケーブルによる敷設距離が従来の半分になってケーブルからの引張り力が小さくなるので、ケーブルを複数スパンに分けて敷設して接続しなくても、ケーブルを長区間に敷設できるようになる。
【発明を実施するための最良の形態】
【００１８】
続いて、本発明に係るケーブルドラム、ケーブル巻付け方法、及びケーブル敷設方法の一使用例について、図面を参照しながら説明をする。
【００１９】
図１は、本発明に係る通信ケーブルドラム１００の構成例を示す概略図である。図１に示す通信ケーブルドラム１００はケーブルドラムの一例であり、ケーブルの一例である通信ケーブル１０及びドラム本体１１から構成される。ドラム本体１１は木製又はＦＲＰ（Fiber Reinforced Plastics）製である。ドラム本体１１の回転軸方向の長さＬ１は、９０ｃｍ〜１１０ｃｍである。ドラム本体１１は、両側面に円形板１２を備える。この円形板１２は、直径Ｌ２が１２０ｃｍ〜１６０ｃｍ、厚さＬ３が３ｃｍ〜７ｃｍであり、円中心部に貫通している回転軸挿入孔１３を備える。この回転軸挿入孔１３の直径Ｌ４は、１５ｃｍ〜２０ｃｍである。回転軸挿入孔１３の一方からもう一方の回転軸挿入孔１３へ図示しない棒形状の回転軸が挿入されてドラムを乗せる乗台に設置される。
【００２０】
通信ケーブルドラム１００は、ドラム本体１１と、このドラム本体１１の内部に取付けられた保持部材の一例であるベルト２０（図３に示す）と、このベルト２０にケーブル全長の中間部が保持され、かつ、ドラム本体１１に二重巻きされた通信ケーブル１０とを備え、通信ケーブル１０の引出し用の先端部を２つ有する。これにより、通信ケーブルドラム１００から二方向へ通信ケーブル１０を同時に引き出せるようになる。従って、二方向へ引き出された各ケーブルによる敷設距離が従来の半分になって通信ケーブル１０からの引張り力が小さくなるので、通信ケーブル１０を複数スパンに分けて敷設して接続しなくても、通信ケーブル１０を長区間に敷設できるようになる。
【００２１】
図２（ａ）及び（ｂ）は、本発明に係るドラム本体１１の組立例を示す説明図である。図２（ａ）に示すドラム本体１１は、長方形板１４、窓付き長方形板１５、及び内部円形板１７を備える。長方形板１４、及び窓付き長方形板１５は、ドラム本体１１の周曲面を構成する。長方形板１４は複数枚必要であり、窓付き長方形板１５は１枚のみ必要である。長方形板１４は、縦Ｌ５が１２ｃｍ〜１４ｃｍ、横Ｌ６が８０ｃｍ〜１００ｃｍ、厚さＬ７が１ｃｍ〜２ｃｍである。
【００２２】
窓付き長方形板１５のサイズは長方形板１４と同じであり、窓付き長方形板１５は窓部１６を備える。この窓部１６は、長方形の形状であり、縦８ｃｍ〜１０ｃｍ、横６０ｃｍ〜８０ｃｍ、厚さが１ｃｍ〜２ｃｍである。
【００２３】
内部円形板１７は円形状である。内部円形板１７は、直径Ｌ８が５０ｃｍ〜７０ｃｍ、厚さＬ９が２ｃｍ〜４ｃｍであり、円中心部に貫通している回転軸挿入孔１３を備える。
【００２４】
先ず、作業者は、円形板１２の回転軸挿入孔１３と内部円形板１７の回転軸挿入孔１３との位置が合致するように、円形板１２の内側に内部円形板１７をボルトなどで固定する。次に、内部円形板１７が取付けられた各々の円形板１２に長方形板１４、及び窓付き長方形板１５を取付ける。例えば、矢印方向から長方形板１４を円形板１２の内部円形板１７に組み合わせ、円形板１２の外側から釘などで長方形板１４を一方の円形板１２に固定する。同様にしてもう一方の円形板１２にも固定する。図２（ｂ）は、全ての長方形板１４、及び１枚の窓付き長方形板１５が円形板１２に取付けられたものである。図３に示すベルト２０などの取付けは、長方形板１４、及び窓付き長方形板１５が円形板１２に取付けられる途中で行われる。
【実施例１】
【００２５】
図３（ａ）及び（ｂ）は、本発明に係る第１の実施例としてのドラム本体１１の構成例を示す断面図である。図３（ａ）に示すドラム本体１１は、通信ケーブル１０が巻き付けられる円筒形状の芯３０、及び第１の案内部材の一例である第１のガイド２１を備える。芯３０は、複数枚の長方形板１４、及び窓付き長方形板１５から構成され、芯３０の周曲面中央には窓部１６が設けられている。
【００２６】
ガイド２１は、硬度の高いゴム製の棒形状であり、全長２５ｃｍ〜３５ｃｍ、太さ２ｃｍ〜４ｃｍである。ガイド２１は２本用意される。各々のガイド２１は、一端が窓部１６近傍の外周面の長方形板１４に図示しないひも状ゴムなどで取付けられ、他端が窓部１６から通信ケーブル１０が引き出される方向へひも状ゴムなどで取付けられる。ガイド２１は、芯３０の内部に保持された通信ケーブル１０の引出しを窓部１６から通信ケーブル１０がストレスなく引き出される方向へ案内する。
【００２７】
図３（ｂ）に示すドラム本体１１は、図３（ａ）に示したドラム本体１１のＸ−Ｘ切断面である。ドラム本体１１の長方形板１４で囲まれた芯の内部には、ベルト２０、第２の案内部材の一例である第２のガイド２２、及びベルト固定具２３を備える。このガイド２２は、硬度の高いゴム製の棒形状であり、全長４０ｃｍ〜５０ｃｍ、太さ２ｃｍ〜４ｃｍである。
【００２８】
ガイド２２は、窓部１６近傍の内周面の長方形板１４にひも状ゴムなどでＲ形状を有するように取付けられる。ガイド２２は、所定の折曲半径に基づいて通信ケーブル１０の中間部を折り曲げるように案内する。ベルト２０は、所定の折曲半径に折り曲げられた通信ケーブル１０の中間部を保持する。これにより、通信ケーブル１０の中間部が規定の折曲半径に反して取付けられることを防ぐことができる。
【００２９】
ここで、折曲半径とは、通信ケーブル１０の中間部が折り曲げられた曲線を円弧とし、このときの円の半径をいう。例えば、規定の折曲半径は、半径５０ｃｍに設定される。このとき、通信ケーブル１０の中間部の折曲半径が、半径５０ｃｍよりも大きくなる必要がある。通信ケーブル１０の中間部の折曲半径が、半径５０ｃｍよりも小さくなると、通信ケーブル１０が過度に折り曲げられており、ひび割れなどの損傷を引き起こす恐れがある。
【００３０】
ベルト固定具２３は、ガイド２２近傍の長方形板１４にネジなどで取付けられる。このベルト固定具２３にベルト２０の一端を係合する。例えば、ベルト固定具２３は、ベルト圧締構造を有しており、このベルト圧締構造によりベルト２０の一端を圧縮して締め付ける。
【００３１】
ベルト２０は、ゴム製の板形状であり、縦２ｃｍ〜４ｃｍ、横８ｃｍ〜１２ｃｍ、厚さ０．２ｃｍ〜０．５ｃｍである。ベルト２０の一端には、圧固定された図示しない取付金具が取付けられており、この取付金具は、ガイド２２近傍の内周面の長方形板１４にネジなどで取付けられている。ベルト２０の個数は２〜４個であり、これらのベルト２０は、ベルト２０間の間隔を等しく設けて取付けられる。ベルト２０の他端は、ベルト固定具２３のベルト圧締構造によって圧縮して締め付けられる。例えば、窓部１６から挿入された通信ケーブル１０の中間部をベルト２０によって芯３０の内部に保持する。このベルト２０及びベルト固定具２３により、通信ケーブル１０は容易に脱着可能である。
【００３２】
作業者は、先ず、ケーブル全長の中間部を窓部１６から挿入してガイド２２のＲ形状に沿わせる。次に、この通信ケーブル１０をガイド２２及び長方形板１４に縛り付けるようにベルト２０の一端をベルト固定具２３に圧締めする。
【００３３】
なお、ガイド２２を通信ケーブル１０の引掛け用の反り部を有した棒形状にしてもよい。これにより、通信ケーブル１０をガイド２２の反り部に引っ掛けて固定することができるので、ベルト２０、及びベルト固定具２３を用いなくてもよい。
【００３４】
窓部１６の横の窓枠には、ガイド２２のＲ形状に沿わされて通信ケーブル１０が引き出される角度に倣うように、４５°程度角度が付けられている。これにより、通信ケーブル１０が傷付くのを防げるようになる。
【００３５】
図４は、通信ケーブル１０の巻取例を示す説明図である。図４に示すドラム本体１１には、ガイド２１及びガイド２２が取付けられている。
【００３６】
先ず、ケーブル全長の中間部が求められる。例えば、ドラム本体１１に巻き付けられるケーブル全長から半分の長さが求められる。この半分の長さに該当する通信ケーブル１０の位置は、通信ケーブル１０の中間部とされる。この中間部は、折曲されて窓部１６から挿入される。挿入された通信ケーブル１０の折曲した中間部は、ガイド２２のＲ形状に沿わせされる。
【００３７】
次に、ガイド２２のＲ形状に沿わされた通信ケーブル１０は、ガイド２２及び長方形板１４に縛り付けられるように、ベルト２０で固定される。中間部が固定されて窓部１６から引き出された通信ケーブル１０の両側は、各々のガイド２１に沿わされてドラム本体１１に左右均一に巻き付けられる。これにより、通信ケーブルドラム１００から二方向へ通信ケーブル１０を同時に引き出せるようになる。
【００３８】
図５は、通信ケーブル１０をドラム本体１１に巻き取る巻取例を示すフローチャートである。ケーブル全長の中間部は求められている。これを条件として、図５に示すステップＳ１で、作業者は、通信ケーブルドラム１００のドラム本体１１の内部に備えられたベルト２０にケーブル全長の中間部を保持する。
【００３９】
例えば、作業者は、通信ケーブル１０の中間部を折曲させて窓部１６から挿入する。挿入された通信ケーブル１０の折曲した中間部をガイド２２のＲ形状に沿わせる。次に、窓部１６から両腕を挿入してガイド２２のＲ形状に沿わされた通信ケーブル１０をガイド２２及び長方形板１４に縛り付けるようにベルト２０で固定する。例えば、ベルト２０の他端をベルト固定具２３にベルト圧締構造で圧縮して締め付ける。
【００４０】
ステップＳ２では、通信ケーブル１０の中間部が保持された当該通信ケーブル１０をドラム本体１１に二重巻きする。例えば、作業者は、中間部が固定されて窓部１６から引き出された通信ケーブル１０の両側を各々のガイド２１に沿わせてドラム本体１１に二重巻きする。
【００４１】
例えば、通信ケーブル１０の中間部がドラム本体１１に固定された状態で、ドラム本体１１の回転軸挿入孔１３に図示しないドラム巻取装置の回転軸を挿入して回動自在に固定する。この回転軸を軸にして通信ケーブル１０の巻き取り方向へドラム本体１１を回転させて通信ケーブル１０をドラム本体１１へ左右均一に巻き付ける。これにより、通信ケーブル１０の引出し用の先端部を２つ有するので、二方向へ通信ケーブル１０を同時に引き出せるようになる。
【実施例２】
【００４２】
図６（ａ）乃至（ｃ）は、本発明に係る第２の実施例としてのドラム本体６１の構成例を示す説明図である。図６（ａ）に示すドラム本体６１は、通信ケーブル１０が巻き付けられる円筒形状の芯３０、ガイド２１、及びケーブル防護管６０を備える。芯３０は、複数枚の長方形板１４、及び窓付き長方形板１５から構成され、芯３０の周曲面中央には窓部１６が設けられている。
【００４３】
ガイド２１は、硬度の高いゴム製の棒形状であり、全長２５ｃｍ〜３５ｃｍ、太さ２ｃｍ〜４ｃｍである。ガイド２１は２本用意される。各々のガイド２１は、一端が窓部１６近傍の外周面の長方形板１４に図示しないひも状ゴムなどで取付けられ、他端が窓部１６から通信ケーブル１０が引き出される方向へひも状ゴムなどで取付けられる。ガイド２１は、芯３０の内部に保持された通信ケーブル１０の引出しを窓部１６から通信ケーブル１０がストレスなく引き出される方向へ案内する。
【００４４】
図６（ｂ）に示すドラム本体６１は、図６（ａ）に示したドラム本体６１のＺ−Ｚ切断面である。ドラム本体６１の長方形板１４で囲まれた芯の内部には、ケーブル防護管６０が取付けられている。このケーブル防護管６０は、図６（ｃ）に示す通り、上下２分割され、ケーブル防護管６０の中央で蝶番６２により開閉自在に結合されている。また、ケーブル防護管６０の両端近傍には、上下のケーブル防護管６０を閉じて固定するためのフック６３が夫々取付けられている。
【００４５】
ケーブル防護管６０は、ケーブル防護管６０の下側がネジなどで芯の内部に取付けられる。例えば、ケーブル防護管６０は、通信ケーブル１０の中間部がＲ形状を有するように取付けられる。
【００４６】
作業者は、通信ケーブル１０をケーブル防護管６０に装着する際、先ず、フック６３が外されていることを確認し、ケーブル防護管６０の下側に通信ケーブル１０を嵌め込む。次に、ケーブル防護管６０の上側を通信ケーブル１０に被せ、ケーブル防護管６０の両端近傍に夫々取付けられたフック６３で閉じる。これにより、通信ケーブル１０の中間部は、規定の折曲半径を保持した状態でケーブル防護管６０に固定される。作業者は、フックを開閉する場合、窓部１６から手を入れて行う。
【実施例３】
【００４７】
図７（ａ）乃至（ｃ）は、本発明に係る第３の実施例としてのドラム本体５１の構成例を示す説明図である。図７（ａ）に示すドラム本体５１は、通信ケーブル１０が巻き付けられる円筒形状の芯３０、ガイド２１、及び止め金具５０を備える。芯３０は、複数枚の長方形板１４、及び窓付き長方形板１５から構成され、芯３０の周曲面中央には窓部１６が設けられている。
【００４８】
ガイド２１は、硬度の高いゴム製の棒形状であり、全長２５ｃｍ〜３５ｃｍ、太さ２ｃｍ〜４ｃｍである。ガイド２１は２本用意される。各々のガイド２１は、一端が窓部１６近傍の外周面の長方形板１４に図示しないひも状ゴムなどで取付けられ、他端が窓部１６から通信ケーブル１０が引き出される方向へひも状ゴムなどで取付けられる。ガイド２１は、芯３０の内部に保持された通信ケーブル１０の引出しを窓部１６から通信ケーブル１０がストレスなく引き出される方向へ案内する。
【００４９】
図７（ｂ）に示すドラム本体５１は、図７（ａ）に示したドラム本体１１のＹ−Ｙ切断面である。ドラム本体５１の長方形板１４で囲まれた芯の内部には、止め金具５０が取付けられている。この止め金具５０は、Ｓ字形状の金属板であり、ネジなどで芯の内部に取付けられる。例えば、止め金具５０は、通信ケーブル１０の中間部がＲ形状を有するように、所定間隔を保持して３箇所ほど取付けられる。
【００５０】
このＳ字形状の金属板である止め金具５０は、図７（ｃ）に示す挿入部５２から通信ケーブル１０が挿入されて通信ケーブル１０を固定する。例えば、作業者は、Ｓ字形状を利用した閉じ力で閉じられている挿入部５２から通信ケーブル１０を奥に押し込む。このとき、Ｓ字形状を利用した閉じ力で閉じられていた挿入部５２は、押し込む力によって若干広がる。挿入部５２の広がった状態で通信ケーブル１０が挿入部５２を通過し、再び、挿入部５２は、Ｓ字形状を利用した閉じ力で閉じられ、通信ケーブル１０は、止め金具５０の奥に固定される。このようにして、３箇所の各止め金具５０に通信ケーブル１０を固定する。これにより、通信ケーブル１０の中間部は、規定の折曲半径を保持した状態で３箇所の止め金具５０に固定される。
【００５１】
続いて、通信ケーブルドラム１００を使用して通信ケーブル１０を敷設する場合を示す。
【００５２】
[使用例]
図８は、通信ケーブルドラム１００の使用例を示す概念図である。図８に示す通信ケーブルドラム１００は、ドラム本体１１、５１、６１のいずれを使用したものでもよい。敷設ケーブルの亘長の中央部にドラム乗台１およびケーブルドラム１００、ロープ支持柱５を設置する。この中央部から２方向へケーブルドラム１００の通信ケーブル１０を引き出し、２方向へ引き出されたこの通信ケーブル１０を、ロープ支持柱５に取り付けられたガイドロープ６に設置された複数の金車４を使って、同時に２方向へ敷設する。
【００５３】
例えば、ケーブルドラム１００は、ドラム乗台１に装着されている。ドラム乗台１は、これから通信ケーブル１０を架設する電柱２、４２の間に設置されている。電柱２には、当該電柱２の中央上部に通信ケーブル１０を通す金車４が取付けられている。また、電柱２には、当該電柱２の上部に吊線３が吊り下げられている。この吊線３には、複数の金車４が取付けられている。電柱４２も同様に、吊線３及び金車４が取付けられている。
【００５４】
電柱２と電柱４２との間には、ロープ支持柱５が２本設置されている。ロープ支持柱５には、ガイドロープ６の一端が取付けられている。ガイドロープ６の他端は、電柱２に取付けられている。ガイドロープ６には、金車４が２個取付けられている。電柱４２も同様に、ガイドロープ６が取付けられている。
【００５５】
通信ケーブルドラム１００は、ドラム本体１１と、このドラム本体１１の内部に取付けられたベルト２０と、このベルト２０にケーブル全長の中間部が保持され、かつ、ドラム本体１１に二重巻きされた通信ケーブル１０とを備え、通信ケーブル１０の引出し用の先端部を２つ有する。
【００５６】
通信ケーブル１０を敷設する場合、先ず、作業者は、片方の電柱２に対して、通信ケーブル１０の先端部の一方をガイドロープ６に取付けられた各金車４に通して電柱２に取付けられた金車４に通し、更に、吊線３に取付けられた各金車４に通す。次に、作業者は、もう片方の電柱４２に対して、通信ケーブル１０のもう一方の先端部をガイドロープ６に取付けられた各金車４に通して電柱４２に取付けられた金車４に通し、吊線３に取付けられた各金車４に通す。
【００５７】
これにより、通信ケーブルドラム１００から二方向へ通信ケーブル１０を同時に引き出せるようになる。従って、二方向へ引き出された各通信ケーブル１０による敷設距離が従来の半分になって通信ケーブル１０からの引張り力が小さくなるので、通信ケーブル１０を複数スパンに分けて敷設して接続しなくても、通信ケーブル１０を長区間に敷設できるようになる。
【００５８】
例えば、従来例の通信ケーブルドラム２００は、１０００ｍ程度の敷設が限度であったが、二方向へ通信ケーブル１０を同時に引き出せる通信ケーブルドラム１００は、２０００ｍ程度の敷設が可能となる。これにより、通信ケーブル１０を断線する回数を減少できるので、作業効率を向上できるようになると共に通信ケーブル１０同士を接続する費用を抑えることができる。特に、光ケーブルに収納される光心線数は一般的に１００〜６００心と多いので接続費用は高額であり、低減効果が大きくなる。また、接続箇所が減少するので、通信ケーブル１０の信頼性が向上する。例えば、光心線の接続は、主に現地の屋外、柱上での融着接続器により行い、融着のバラツキ、曲げ強度の低下、浸水の可能性などがあるが、これらの不安要素を回避できるようになる。
【００５９】
また、通信ケーブルドラム１００を移動させる回数が減るので、通信ケーブルドラム１００を設置する場所の確保が減少できるようになる。特に、交通量や障害物の多い市街地では、設置場所の確保が困難であるため、効果的である。
【００６０】
また更に、通信ケーブルドラム１００の設置箇所からの敷設距離が半分になり、作業者がお互いに連絡を取りやすくなって作業性が改善される。更にまた、ケーブル敷設工事設計が柔軟に対応できるようになり、効率的な設計が可能となる。従って、通信ケーブルドラム１００の設置場所がフレキシブルに対応できるようになる。
【００６１】
このように、本発明に係る使用例の通信ケーブルドラム１００、ケーブル巻付け方法、及びケーブル敷設方法によれば、ドラム本体１１の内部に取付けられたベルト２０にケーブル全長の中間部が保持され、かつ、当該ドラム本体１１に二重巻きされた通信ケーブル１０を備え、通信ケーブル１０の引出し用の先端部を２つ有するものである。
【００６２】
従って、当該通信ケーブルドラム１００から二方向へ通信ケーブル１０を同時に引き出せるようになる。これにより、二方向へ引き出された各通信ケーブル１０による敷設距離が従来の半分になって通信ケーブル１０からの引張り力が小さくなるので、通信ケーブル１０を複数スパンに分けて敷設して接続しなくても、通信ケーブル１０を長区間に敷設できるようになる。
【産業上の利用可能性】
【００６３】
本発明は、通信用ケーブルが巻き付けられた通信ケーブルドラムに適用して好適である。
【図面の簡単な説明】
【００６４】
【図１】本発明に係る通信ケーブルドラム１００の構成例を示す概略図である。
【図２】（ａ）及び（ｂ）は、本発明に係るドラム本体１１の組立例を示す説明図である。
【図３】（ａ）及び（ｂ）は、本発明に係る第１の実施例としてのドラム本体１１の構成例を示す断面図である。
【図４】通信ケーブル１０の巻取例を示す説明図である。
【図５】通信ケーブル１０をドラム本体１１に巻き取る巻取例を示すフローチャートである。
【図６】（ａ）乃至（ｃ）は、本発明に係る第２の実施例としてのドラム本体６１の構成例を示す説明図である。
【図７】（ａ）乃至（ｃ）は、本発明に係る第３の実施例としてのドラム本体５１の構成例を示す説明図である。
【図８】通信ケーブルドラム１００の使用例を示す概念図である。
【図９】従来例に係る通信ケーブルドラム２００の使用例を示す概念図である。
【符号の説明】
【００６５】
１０  通信ケーブル（ケーブル）
１１、５１、６１  ドラム本体
１６  窓部
２０  ベルト（保持部材）
２１  第１のガイド（第１の案内部材）
２２  第２のガイド（第２の案内部材）
３０  芯
１００  通信ケーブルドラム（ケーブルドラム）
【図１】
2007308280.tif 000003
【図２】
2007308280.tif 000004
【図３】
2007308280.tif 000005
【図４】
2007308280.tif 000006
【図５】
2007308280.tif 000007
【図６】
2007308280.tif 000008
【図７】
2007308280.tif 000009
【図８】
2007308280.tif 000010
【図９】
2007308280.tif 000011